(57)【要約】【課題】リアルタイム性が要求され、かつ子機としての携帯電話機との間で行われる通信において、双方向にやり取りされるデータのセキュリティの劣化を抑制し、ユーザの使い勝手を向上できる。【解決手段】固定電話網に接続されたコードレス電話親機１０では、親機制御部は、子機としての携帯電話機４０の接続状態の変化、例えば宅外スマホから宅内スマホに切り替わったことを検知する。親機制御部は、携帯電話機４０の接続状態に変化が検知された場合に、携帯電話機４０との間で共有される共通鍵Ｋｃを生成する。無線ＬＡＮＩ／Ｆ部１０９は、共通鍵Ｋｃを用いて、携帯電話機４０との間で送受信されるデータを暗号化して送信する。【選択図】図１３
2017152935.tif 000002
【特許請求の範囲】
【請求項１】
固定電話網に接続された電話装置であって、
前記電話装置に対する子機としての携帯電話機の状態変化を検知する検知部と、
前記検知部により前記携帯電話機の状態変化が検知される度に、前記携帯電話機との間で共有される共通鍵を生成する共通鍵生成部と、
前記共通鍵生成部により生成された前記共通鍵を用いて、前記携帯電話機との間で送受信されるデータを暗号化して生成する制御部と、
前記携帯電話機との間で無線接続し、前記制御部により生成された暗号化データを前記携帯電話機に送信する無線通信部と、を備える、
電話装置。
【請求項２】
請求項１に記載の電話装置であって、
前記制御部は、前記固定電話網を介した発信者電話機からの着信があった場合に、前記無線通信部を介して、前記共通鍵により前記着信を暗号化して前記携帯電話機に転送し、前記携帯電話機を着信鳴動させる、
電話装置。
【請求項３】
請求項１又は２に記載の電話装置であって、
前記固定電話網を介して発信者電話機から送信されたファクシミリデータを受信する第２無線通信部、を更に備え、
前記制御部は、前記第２無線通信部により受信された前記ファクシミリデータを暗号化して、前記無線通信部により前記携帯電話機に転送させる、
電話装置。
【請求項４】
請求項１又は２に記載の電話装置であって、
発信者電話機の電話番号と発信者とを対応付けて保持する電話帳データを記憶する記憶部、を更に備え、
前記制御部は、前記電話帳データを暗号化して、前記無線通信部により前記携帯電話機に転送させる、
電話装置。
【請求項５】
請求項１又は２に記載の電話装置であって、
前記電話装置のユーザの声を収音する音声入力部、を更に備え、
前記制御部は、前記音声入力部により入力された前記ユーザの声の音声データを暗号化して、前記無線通信部により前記携帯電話機に転送させる、
電話装置。
【請求項６】
請求項１又は２に記載の電話装置であって、
カメラを有し、前記電話装置が配置された屋内の玄関に設けられた玄関子機との間で無線通信する第３無線通信部、を更に備え、
前記第３無線通信部は、前記カメラにより撮像された映像データを受信し、
前記制御部は、前記第３無線通信部により受信された前記映像データを暗号化して、前記無線通信部により前記携帯電話機に転送させる、
電話装置。
【請求項７】
請求項１に記載の電話装置であって、
前記検知部は、前記状態変化として、新たな携帯電話機の前記電話装置に対する子機登録を検知する、
電話装置。
【請求項８】
請求項１に記載の電話装置であって、
前記検知部は、前記状態変化として、前記携帯電話機の屋外モードの設定状態から屋内モードの設定状態への変更を検知する、
電話装置。
【請求項９】
請求項１に記載の電話装置であって、
前記検知部は、前記状態変化として、前記携帯電話機の屋内モードの設定状態から屋外モードの設定状態への変更を検知する、
電話装置。
【請求項１０】
固定電話網に接続された電話装置における通信方法であって、
前記電話装置に対する子機としての携帯電話機の状態変化を検知し、
前記携帯電話機の状態変化が検知される度に、前記携帯電話機との間で共有される共通鍵を生成し、
生成された前記共通鍵を用いて、前記携帯電話機との間で送受信されるデータを暗号化して生成し、
生成された暗号化データを前記携帯電話機に送信する、
通信方法。
【発明の詳細な説明】
【技術分野】
【０００１】
本発明は、電話装置及び通信方法に関する。
【背景技術】
【０００２】
近年、家庭に置く固定回線用の電話機は、リビングやキッチン、寝室などに子機を設置して使用できるコードレスタイプのものが普及している。但し、専用の子機を追加するためにはそれなりにコストがかかるため、すでに広く利用及び普及している個人所有のスマートフォンをコードレス電話機の子機としても利用できるサービス機能が求められている。
【０００３】
このようなサービス機能を部分的に具現化する方法として、回線交換網からの着呼をインターネットなどパケット交換網上のクライアントに着信させる装置についての技術が知られている（例えば特許文献１参照）。
【先行技術文献】
【特許文献】
【０００４】
【特許文献１】特開平１１−３５５３５８号公報
【発明の概要】
【発明が解決しようとする課題】
【０００５】
しかしながら、特許文献１の構成では、回線交換網からの着呼をパケット交換網上のクライアントに着信させる場合、コードレス電話親機とクライアントであるスマートフォンとの間でＳＩＰ（Session Initiation Protocol）に準拠したデータやメッセージを送受信することにより、発信者電話機とスマートフォンとの間でセッションが確立される。
【０００６】
ここで、発信者電話機とスマートフォンとの間の通信として、例えば電話や音声データの送受信が行われる場合、コードレス電話親機が発信者電話機からの着信をスマートフォンに転送して、速やかに発信者電話機とスマートフォンとの間のセッションを確立するために、即時性（つまり、リアルタイム性）が要求される。
【０００７】
このため、ＯＳＩ（Open Systems Interconnection）参照モデルのトランスポート層のプロトコルとして、データ伝送の信頼性が高いＴＣＰ（Transmission Control Protocol）ではなく、リアルタイム性に適したＵＤＰ（User Datagram Protocol）が用いられる。このように、リアルタイム性が要求される通信（例えばＳＩＰを用いた通信）では、従来、データの送受信時に暗号化処理等、データ伝送に対し時間のかかる処理は行われていなかった。言い換えると、リアルタイム性が要求される通信では、送信側と受信側との間のデータのセキュリティが考慮されることが無く、やり取りされるデータが未暗号化のまま（つまり、平文のまま）で通信されていたので、悪意ある第三者によりそのデータが抜き取られたり盗聴されたりする可能性があり、セキュリティに脆弱性があると考えられた。
【０００８】
本発明は、上述した従来の状況に鑑みてなされたものであり、リアルタイム性が要求され、かつ子機としての携帯電話機との間で行われる通信において、双方向にやり取りされるデータのセキュリティの劣化を抑制し、ユーザの使い勝手を向上できる電話装置及び通信方法を提供することを目的とする。
【課題を解決するための手段】
【０００９】
本発明は、固定電話網に接続された電話装置であって、前記電話装置に対する子機としての携帯電話機の状態変化を検知する検知部と、前記検知部により前記携帯電話機の状態変化が検知される度に、前記携帯電話機との間で共有される共通鍵を生成する共通鍵生成部と、前記共通鍵生成部により生成された前記共通鍵を用いて、前記携帯電話機との間で送受信されるデータを暗号化して生成する制御部と、前記携帯電話機との間で無線接続し、前記制御部により生成された暗号化データを前記携帯電話機に送信する無線通信部と、を備える、電話装置である。
【００１０】
また、本発明は、固定電話網に接続された電話装置における通信方法であって、前記電話装置に対する子機としての携帯電話機の状態変化を検知し、前記携帯電話機の状態変化が検知される度に、前記携帯電話機との間で共有される共通鍵を生成し、生成された前記共通鍵を用いて、前記携帯電話機との間で送受信されるデータを暗号化して生成し、生成された暗号化データを前記携帯電話機に送信する、通信方法である。
【発明の効果】
【００１１】
本発明によれば、リアルタイム性が要求され、かつ子機としての携帯電話機との間で行われる通信において、双方向にやり取りされるデータのセキュリティの劣化を抑制することができ、ユーザの使い勝手を向上できる。
【図面の簡単な説明】
【００１２】
【図１】第１の実施形態におけるコードレス電話システムの概要を示す模式図
【図２】第１の実施形態におけるコードレス電話システムの親機ブロック図
【図３】第１の実施形態におけるコードレス電話システムの子機ブロック図
【図４】第１の実施形態におけるコードレス電話システムの携帯情報端末ブロック図
【図５】第１の実施形態におけるコードレス電話システムの着信呼出シーケンス図
【図６】第１の実施形態におけるコードレス電話システムの留守応答シーケンス図
【図７】第１の実施形態におけるコードレス電話システムの親機の留守応答動作を示すフローチャート
【図８】第１の実施形態におけるコードレス電話システムの留守応答時の宅外携帯情報端末の応答シーケンス図
【図９】第１の実施形態におけるコードレス電話システムの留守応答時の対応を示す図
【図１０】第２の実施形態におけるコードレス電話システムの留守応答シーケンス図
【図１１】第２の実施形態におけるコードレス電話システムの親機の留守応答動作を示すフローチャート
【図１２】第２の実施形態におけるコードレス電話システムの留守応答時の対応を示す図
【図１３】第３の実施形態における共通鍵生成手順を示すシーケンス図である。
【図１４】第３の実施形態におけるコードレス電話親機が共通鍵でデータを暗号化し、暗号化されたデータを携帯電話機に送信する動作を説明する図
【図１５】第３の実施形態における携帯電話機が共通鍵でデータを暗号化し、暗号化されたデータをコードレス電話親機に送信する動作を説明する図
【図１６】第３の実施形態における屋内（例えば宅内）の玄関に設置された玄関子機のカメラが撮像した映像データを室内に設置されたコードレス電話親機に転送し、さらにコードレス電話親機が携帯電話機に転送する様子を示す図
【発明を実施するための形態】
【００１３】
以下、適宜図面を参照しながら、本発明に係る電話装置及び通信方法を具体的に開示した各実施形態を詳細に説明する。但し、必要以上に詳細な説明は省略する場合がある。例えば既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。以下、本発明に係る電話装置の一例として、コードレス電話装置の親機（後述するコードレス電話親機１０を参照）を例示して説明する。なお、本発明は、コードレス電話装置のコードレス電話親機１０の動作を規定した通知方法として表現することも可能である。
【００１４】
（第１の実施形態）
＜コードレス電話システムの概要＞
図１は、第１の実施形態におけるコードレス電話システムの概要を示す模式図である。以下、図１を用いて、コードレス電話システムの構成について説明する。なお、以下の説明において、携帯情報端末の一例としてスマートフォンを含む携帯電話機を挙げるが、本発明はこれに限定するものではない。
【００１５】
図１では、例えば宅内にコードレス電話親機１０が設けられ、コードレス電話親機１０は、無線ＬＡＮルータ機能を備えたアクセスポイント２０を介して、インターネットに接続しており、一方で、固定電話網に接続している。また、宅内には、コードレス電話親機１０と接続するコードレス電話子機３０と、アクセスポイント２０及び携帯電話網に接続する携帯電話機４０−１、４０−２が存在するものとする。なお、特定の携帯電話機を区別しない場合には、携帯電話機４０と総称する。
【００１６】
コードレス電話子機３０は、コードレス電話親機１０を介して、固定電話網に接続可能であり、コードレス電話親機１０及びアクセスポイント２０を介して、携帯電話機４０−１と接続可能である。携帯電話機４０−１は、アクセスポイント２０を介して、コードレス電話親機１０と無線ＬＡＮにて接続する。また、携帯電話機４０−１が、アクセスポイント２０及びコードレス電話親機１０を介して、コードレス電話子機３０、固定電話網に接続可能である。
【００１７】
携帯電話機４０が宅外において動作する場合、即ち図１における携帯電話機４０−２は、携帯電話網あるいはインターネット上の（図示しない）外部のアクセスポイントを介してインターネットに接続され、上述のインターネットに接続されたコードレス電話親機１０と接続可能に構成される。
【００１８】
なお、図１では、携帯電話機４０が、アクセスポイント２０を介して、コードレス電話親機１０と接続する場合を示しているが、コードレス電話親機１０に無線ＬＡＮリピータ機能を設け、携帯電話機４０が、コードレス電話親機１０とダイレクトに接続し、コードレス電話親機１０からアクセスポイント２０を介してインターネットに接続することもできる。
【００１９】
また、コードレス電話子機３０とコードレス電話親機１０とはＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）による無線通信方式を採用した例を示すが、本発明はこれに限定するものではない。
【００２０】
＜コードレス電話親機の構成＞
図２は、第１の実施形態におけるコードレス電話システムの親機ブロック図である。以下、図２を用いて、コードレス電話親機１０の構成について説明する。
【００２１】
ＮＣＵ及びモデム部１０１は、発信時の公衆回線との接続及び公衆回線からの着信検出などの電話回線の制御を行う回線制御回路（ＮＣＵ（Ｎｅｔｗｏｒｋ  Ｃｏｎｔｒｏｌ  Ｕｎｉｔ））と、着信時に公衆回線からの発信者番号情報を受信するモデム部である。なお、第２無線通信部の一例としてのＮＣＵ及びモデム部１０１は、固定電話網を介して相手側の発信者電話機から送信されたファクシミリデータ（以下「ｆａｘデータ」ともいう、図１参照）を受信することもできる。コードレス電話親機１０は、受信したｆａｘデータを、コードレス電話子機３０、携帯電話機４０−１（宅内スマホ４０−１）及び携帯電話機４０−２（宅外スマホ４０−２）のうち少なくとも１つに転送して表示させることができる。
【００２２】
ＴＡＭ部１０２は、ＴＡＭ（Ｔｅｌｅｐｈｏｎｅ  Ａｎｓｗｅｒｉｎｇ  Ｍａｃｈｉｎｅ）であって、留守番電話メッセージを記憶し、メッセージの録音及び再生を行う。
【００２３】
記憶部１０３は、コードレス電話装置の各種設定データ、電話帳データ、発着信履歴情報、ＳＭＳメッセージなどの子機の通信履歴を含む子機付加情報を記憶する。電話帳データは、ユーザの操作によって入力された発信者電話機の電話番号と発信者とを対応付けて予め保持した電話帳のデータである。また、記憶部１０３は、上述したｆａｘデータを一時的に記憶してもよいし、ユーザの削除操作が指示されるまで記憶しておいてもよい。
【００２４】
また、記憶部１０３は、子機情報を記憶する。子機情報は、各々のコードレス電話子機３０と、各々のコードレス電話子機３０の接続状態、子機名、子機番号（子機内線番号又はポート番号）、着信音メモリ情報（メモリ容量、又は再生時間）、使用ＣＯＤＥＣなどで構成され、子機名及び子機番号は、子機を識別するための子機識別情報として用いられる。
【００２５】
さらに、子機情報は、コードレス電話子機３０に関する情報の他に、携帯電話機４０に関する情報も記憶、管理している。特に、携帯電話機４０を携帯電話機４０−１として宅内で使用するのか、あるいは、携帯電話機４０−２として宅外で使用するのかの設定情報も記憶、管理している。例えば、宅外に発信する為の情報（電話番号や外部サーバー情報）もその設定情報となる。
【００２６】
音声入出力部１０４は、マイク、スピーカとＣＯＤＥＣから構成され、着信音の出力、通話音声の入力出力を行う。即ち、音声入出力部１０４は、マイクによってユーザ（つまり、コードレス電話親機１０のユーザ）が発話した声を収音し、スピーカによって相手側（つまり、通話相手である発信者）が発話した声の音声データを出力する。
【００２７】
操作部１０５は、ユーザが操作を行うダイヤル、各種機能ボタンから構成され、ＬＣＤ部１０６は、ＬＣＤ（Ｌｉｑｕｉｄ  Ｃｒｙｓｔａｌ  Ｄｉｓｐｌａｙ）などの表示部であって、各種情報を表示する。
【００２８】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理などを行うデジタル信号処理回路から構成される。
【００２９】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式など）に従った発呼、着呼などのプロトコル制御を行う。なお、以下の説明では、コードレス電話子機３０との間の制御プロトコルにＤＥＣＴ方式を採用するものとする。
【００３０】
無線通信部の一例としての無線ＬＡＮ  Ｉ／Ｆ部１０９は、ＩＥＥＥ８０２．１１（Ｗｉ−Ｆｉ（登録商標））、の無線ＬＡＮプロトコル制御を行い、携帯電話機４０と無線接続した上で無線データの送受信を行う。なお、無線ＬＡＮ  Ｉ／Ｆ部１０９は、Ｂｌｕｅｔｏｏｔｈ（登録商標）やＺｉｇＢｅｅ（登録商標）などの近距離無線通信技術を用いても良い。
【００３１】
親機制御部１１０は、コードレス電話親機１０全体を制御する。具体的には、親機制御部１１０は、親機制御部１１０周辺の各部から発生したイベント、メッセージを受信及び解析し、発着信呼の状態及び呼接続を制御し、各部に指示する。
【００３２】
親機制御部１１０は、例えば、ＮＣＵ及びモデム部１０１及びコードレス電話子機制御部１０８から受信したイベント、及び、各種メッセージを処理する。親機制御部１１０は、特に、固定電話網からＮＣＵ及びモデム部１０１に着信が有った場合、固定電話網から受信したメッセージに付帯する発信者番号を利用した各種サービスのための制御を行う。
【００３３】
また、親機制御部１１０は、例えば、（図示しない）タイマのタイムアウトのイベント発生により、ＴＡＭ部１０２を制御して留守番電話メッセージの録音・再生を行う。
【００３４】
また、親機制御部１１０は、例えば、記憶部１０３に記憶された携帯電話機４０を宅内で使用するのか、あるいは、宅外で使用するのかの設定情報を参照して、着信鳴動の停止／継続を制御する。この携帯電話機４０を宅内で使用するのか、あるいは、宅外で使用するのかの設定情報は、（図示しない）「外で通話」ボタンをコードレス電話親機１０に設けて、このボタンを利用者が外出時に押下することにより設定してもよい。
【００３５】
また、親機制御部１１０は、例えば、無線ＬＡＮ  Ｉ／Ｆ部１０９を介して、携帯電話機４０へ着信鳴動の停止のメッセージを送信する制御を行う。
【００３６】
＜コードレス電話子機の構成＞
図３は、第１の実施形態におけるコードレス電話システムの子機ブロック図である。以下、図３を用いて、コードレス電話子機３０の構成について説明する。
【００３７】
記憶部１３１は、例えば電話帳データなどのコードレス電話子機３０で使用する各種データを所定の記憶エリアに記憶する。
【００３８】
音声入出力部１３２は、マイク、スピーカとＣＯＤＥＣから構成され、着信音の出力、通話音声の入力出力を行う。
【００３９】
操作部１３３は、ユーザが操作を行うダイヤル及び各種機能ボタンから構成され、ＬＣＤ部１３４は、各種情報を表示する。
【００４０】
コードレス電話親機無線Ｉ／Ｆ部１３５は、コードレス電話親機１０との無線データ送受信回路であり、無線信号の周波数変換を行うＲＦ／ＩＦ部、変調及び復調を行う変復調部、ＴＤＭＡ信号処理などを行うデジタル信号処理回路から構成される。
【００４１】
コードレス電話親機制御部１３６は、コードレス電話親機１０との間で制御データを送受信し、コードレス電話親機１０との間の制御プロトコル（例えば、ＤＥＣＴプロトコル方式、ＰＨＳプロトコル方式など）に従った発呼、着呼などのプロトコル制御を行う。
【００４２】
子機制御部１３７は、コードレス電話子機３０全体を制御する。具体的には、子機制御部１３７は、子機制御部１３７周辺の各部から発生したイベント、メッセージを受信及び解析し、発着信呼の状態及び呼接続を制御し、各部に指示する。
【００４３】
子機制御部１３７は、例えば、固定電話網への着信時に、コードレス電話親機１０から発信者番号を利用したサービス情報を含む着信メッセージを受信すると、所定の着信音を鳴動させ、着信メッセージに付与されているサービス情報を抽出し、必要に応じて記憶部１３１の所定の記憶エリアにサービス情報を記憶させたり、ＬＣＤ部１３４に着信中の表示画面としてサービス情報を表示させたりするなどの制御を行う。
【００４４】
＜携帯情報端末の構成＞
図４は、第１の実施形態におけるコードレス電話システムの携帯情報端末ブロック図である。以下、図４を用いて、携帯電話機４０の構成について説明する。
【００４５】
セルラー無線Ｉ／Ｆ部１４１は、携帯電話用アンテナを介して携帯電話基地局との無線データ送受信を行う。
【００４６】
セルラー制御部１４２は、携帯電話基地局との間で制御データを送受信し、制御プロトコル（例えば、広く知られた３ＧＰＰ規格準拠の携帯電話プロトコルなど）に従った発呼、着呼などのプロトコル制御を行う。
【００４７】
記憶部１４３は、携帯電話機４０の各種設定データ、電話帳データ、発着信履歴情報、ＳＭＳメッセージ、各種画像データ、音楽データ（着信音データを含む）などの情報を記憶する。
【００４８】
音声入出力部１４４は、マイク、スピーカから構成され、着信音の出力、通話音声の入力出力を行う。
【００４９】
操作部１４５は、ユーザが操作を行うダイヤル及び各種機能ボタンから構成され、ＬＣＤ部１４６は、各種情報を表示する。なお、携帯電話機４０がスマートフォンの場合はタッチパネルが操作部１４５とＬＣＤ部１４６の機能を兼ね備える。
【００５０】
無線ＬＡＮ  Ｉ／Ｆ部１４７は、ＩＥＥＥ８０２．１１の無線ＬＡＮプロトコル制御を行い、コードレス電話親機１０との無線データの送受信を行う。なお、コードレス電話親機１０側に合わせてＢｌｕｅｔｏｏｔｈ（登録商標）やＺｉｇＢｅｅ（登録商標）などの近距離無線通信技術を用いても良い。
【００５１】
端末制御部１４８は、携帯電話機４０全体を制御する。具体的には、端末制御部１４８は、端末制御部１４８周辺の各部から発生したイベント、メッセージを受信及び解析し、発着信呼の状態及び呼接続を制御し、各部に指示する。
【００５２】
端末制御部１４８は、例えば、セルラー無線Ｉ／Ｆ部１４１を介して携帯電話基地局から受信した呼制御メッセージを処理する。また、端末制御部１４８は、無線ＬＡＮ  Ｉ／Ｆ部１４７を介してコードレス電話親機１０から受信した呼制御メッセージを処理する。
【００５３】
＜着信呼出〜留守応答まで＞
図５は、第１の実施形態におけるコードレス電話システムの着信呼出シーケンス図である。
【００５４】
固定電話網からコードレス電話親機１０に着信が有った場合（ステップ２０１）、コードレス電話親機１０のＮＣＵ及びモデム部１０１が、例えば広く知られたＱ．９３１仕様に準拠したＳｅｔｕｐメッセージを受信する。親機制御部１１０は、記憶部１０３を参照して着信すべき子機を確認する。
【００５５】
ここでは、記憶部１０３に、着信を転送すべき子機としてコードレス電話子機３０、携帯電話機４０−１、携帯電話機４０−２が登録されているものとして説明する。また、図１において説明したように携帯電話機４０−２は携帯電話機４０が宅外にある場合を示している。
【００５６】
親機制御部１１０は、コードレス電話親機１０自身を着信状態に遷移させるとともに、コードレス電話子機３０、携帯電話機４０−１、携帯電話機４０−２に対して着信処理を行う（ステップ２０２）。
【００５７】
コードレス電話子機３０への着信処理は、例えば上記Ｑ．９３１仕様に準拠したＳｅｔｕｐメッセージ相当の着信メッセージを送信することにより行う。また、携帯電話機４０への着信は、例えばＳＩＰ（Ｓｅｓｓｉｏｎ  Ｉｎｉｔｉａｔｉｏｎ  Ｐｒｏｔｏｃｏｌ）に準拠してＩＮＶＩＴＥメッセージによる着信メッセージを送信することにより行う。
【００５８】
携帯電話機４０へ送信するＩＮＶＩＴＥメッセージには、宅内の携帯電話機４０、即ち携帯電話機４０−１の場合は内部ネットワーク（ＬＡＮ）の宛先が含まれ、宅外の携帯電話機４０、即ち携帯電話機４０−２の場合は外部ネットワーク（ＷＡＮ）の宛先が含まれる。
【００５９】
着信メッセージを受信したコードレス電話子機３０、携帯電話機４０−１、携帯電話機４０−２は、それぞれのプロトコルに準拠した応答を行い呼出中の状態に遷移する（ステップ２０３）。呼出中の状態とは、具体的にはＬＣＤに発信者番号を表示して着信鳴動を行っているなどの状態である。
【００６０】
コードレス電話子機３０、携帯電話機４０−１、携帯電話機４０−２のそれぞれから着信メッセージに対する応答を受信したコードレス電話親機１０は、呼出中の状態に遷移する（ステップ２０４）。なお、コードレス電話親機１０と携帯電話機４０−２とが直接メッセージをやり取りするように説明したが、図１３に示すＳＩＰサーバ６０を介してやり取りを行っても良い（以下の説明においても同様）。
【００６１】
図６は、第１の実施形態におけるコードレス電話システムの留守応答シーケンス図である。
【００６２】
呼出中の状態に遷移したコードレス電話親機１０は、所定の時間が経過してもコードレス電話子機３０、携帯電話機４０−１、携帯電話機４０−２及びコードレス電話親機１０自身での利用者による応答操作がなかった場合（ステップ２０５）、以下に示す留守番電話メッセージによる留守応答を行う。
【００６３】
コードレス電話親機１０は、留守応答に先立ち、先ずコードレス電話親機１０自身の着信鳴動を停止するとともに、コードレス電話子機３０と携帯電話機４０−１に対して着信鳴動の停止処理を行う（ステップ２０６）。
【００６４】
コードレス電話子機３０への着信鳴動の停止処理は、例えば内部メッセージ、あるいは、上記Ｑ．９３１仕様に準拠したＩｎｆｏメッセージ相当のメッセージに着信鳴動の停止を示す情報要素を含めて送信することにより行う。また、携帯電話機４０−１への着信鳴動の停止処理は、例えばＳＩＰに準拠してＣＡＮＣＥＬメッセージを送信することにより行う。
【００６５】
ここで、第１の実施形態におけるコードレス電話システムにおいて特徴的なことは、留守応答を行う場合に、宅外の携帯電話機４０、即ち携帯電話機４０−２に対しては着信鳴動の停止処理は行わないことである。詳細は後述する。
【００６６】
コードレス電話親機１０は、次に宅内の携帯電話機４０、即ち携帯電話機４０−１に対して留守応答中を表示する処理を行う（ステップ２０７）。
【００６７】
携帯電話機４０−１への留守応答中を表示する処理は、例えばＳＩＰに準拠してＮＯＴＩＦＹメッセージに留守応答中表示を示す情報要素を含めて送信することにより行う。
【００６８】
コードレス電話親機１０は、最後に、ＴＡＭ部１０２を制御して留守番電話メッセージの録音・再生動作を開始させるとともに、ＴＡＭ部１０２と、コードレス電話親機１０自身、固定電話網及びコードレス電話子機３０との間の音声パスを接続して留守番電話メッセージを聴取可能に制御する（ステップ２０８）。そして、コードレス電話親機１０は、呼出停止中で留守番電話メッセージ聴取中の状態に遷移する。なお、ステップ２０６においてＣＡＮＣＥＬメッセージの代わりに、着信鳴動の停止及び留守応答中表示を示す情報要素を含めたＮＯＴＩＦＹメッセージを送信しても良い。また、コードレス電話子機３０への着信鳴動の停止処理においても、着信鳴動の停止の他に、例えば留守番電話メッセージの聴取開始も併せて送信しても良い（以下の説明においても同様）。
【００６９】
図７は、第１の実施形態におけるコードレス電話システムの親機の留守応答動作を示すフローチャートである。
【００７０】
図７では、図６において説明したコードレス電話システムの留守応答動作の中でもコードレス電話親機１０の留守応答動作についてさらに詳しく説明する。
【００７１】
呼出中の状態に遷移したコードレス電話親機１０は、所定の時間が経過したか否かを判断する（ステップ３０１）。ここで所定の時間の経過とは、（図示しない）タイマのタイムアウトだけに限定されず、例えば着信鳴動を４回繰り返すといった条件であれば４回繰り返したか否かの判断も含む。これらの条件は、記憶部１０３に予め装置の初期値として設定しても良いし、利用者が操作部１０５などによりパラメータとして適宜、使用中に設定しても良い。
【００７２】
ステップ３０１において、所定の時間が経過していなければ所定の時間が経過するまで待つ（ステップ３０１：Ｎｏ）。所定の時間が経過していれば（ステップ３０１：Ｙｅｓ）、先ず音声入出力部１０４から発しているコードレス電話親機１０自身の着信鳴動を停止する（ステップ３０２）。
【００７３】
コードレス電話親機１０は、次に記憶部１０３に記憶されている登録子機（つまり、子機として登録されている携帯電話機と、さらにその携帯電話機についての宅外／宅内の情報を含む）と登録子機の現在の状態を参照する（ステップ３０３）。
【００７４】
コードレス電話親機１０は、ステップ３０３において、呼出中（着信鳴動中）の状態の宅外の携帯電話機があれば（ステップ３０３：Ｎｏ）、その宅外の携帯電話機の状態は変えずに、即ち着信鳴動をさせたままで、ステップ３０７に移行する。
【００７５】
コードレス電話親機１０は、ステップ３０３において、呼出中（着信鳴動中）の状態の子機や宅内の携帯電話機があれば（ステップ３０３：Ｙｅｓ）、着信鳴動を停止するためのメッセージをコードレス電話子機無線Ｉ／Ｆ部１０７や無線ＬＡＮ  Ｉ／Ｆ部１０９を介して送信し、その子機や携帯電話機の着信鳴動を停止する（ステップ３０４）。
【００７６】
そして、コードレス電話親機１０は、着信鳴動を停止させた登録子機が宅内の携帯電話機か否かを判断し（ステップ３０５）、宅内の携帯電話機であれば（ステップ３０５：Ｙｅｓ）、その宅内の携帯電話機に留守応答中である旨の表示をさせるためのメッセージを無線ＬＡＮ  Ｉ／Ｆ部１０９を介して送信し、留守応答中である旨の表示をさせる処理を行う（ステップ３０６）。
【００７７】
最後に、コードレス電話親機１０は、ＴＡＭ部１０２に留守番電話メッセージの録音・再生動作を開始させるとともに、ＴＡＭ部１０２とコードレス電話親機１０自身、ＴＡＭ部１０２とコードレス電話子機３０及びＴＡＭ部１０２と固定電話網との間の音声パスを接続する（ステップ３０７）。
【００７８】
留守番電話メッセージは、例えば、発信者に聞かせる「ただいま電話に出ることができません」という応答メッセージであり、ＯＧＭ（Ｏｕｔｇｏｉｎｇ  Ｍｅｓｓａｇｅ）とも言われる。また、そのＯＧＭ再生メッセージを聞いた発信者が残すメッセージはＩＣＭ（Ｉｎｃｏｍｉｎｇ  Ｍｅｓｓａｇｅ）とも言われる。
【００７９】
ＴＡＭ部１０２とコードレス電話親機１０自身との間の音声パスが接続されるとＴＡＭ部１０２からのＯＧＭ再生メッセージが音声入出力部１０４から発せられる。ＴＡＭ部１０２とコードレス電話子機３０の間の音声パスが接続されるとＴＡＭ部１０２からのＯＧＭ再生メッセージがコードレス電話子機無線Ｉ／Ｆ部１０７を介してコードレス電話子機３０に送信される。
【００８０】
ＴＡＭ部１０２と固定電話網との間の音声パスが接続されるとＴＡＭ部１０２からのＯＧＭ再生メッセージがＮＣＵ及びモデム部１０１を介して公衆回線につながる発信者に向けて送信される。また、ＮＣＵ及びモデム部１０１を介して受信する発信者からのＩＣＭ録音メッセージがＴＡＭ部１０２に録音される。
【００８１】
そして、コードレス電話親機１０自身は呼出停止中（留守番電話メッセージ聴取中）の状態に遷移する。
【００８２】
このように、コードレス電話親機１０は、留守応答を行う場合に、コードレス電話子機３０や宅内の携帯電話機４０−１に対しては着信鳴動の停止処理を行うが、宅外の携帯電話機４０、即ち携帯電話機４０−２に対しては着信鳴動の停止処理は行わないのである。
【００８３】
なお、上記では、呼出中の状態のコードレス電話親機１０が呼出停止中（留守番電話メッセージ聴取中）の状態に遷移する過程で、所定の時間の経過後に、先ずコードレス電話親機１０自身の着信鳴動を停止するように説明したが、その着信鳴動の停止や留守応答中である旨の表示を行う順序はこれに限定されるものではない。例えば、コードレス電話親機１０自身の着信鳴動を停止する前に、子機や宅内の携帯電話機の着信鳴動を停止しても良い。また、ステップ３０４〜ステップ３０６においてステップ３０５の判断を行うことなくコードレス電話子機３０及び携帯電話機４０−２のそれぞれに一括してメッセージを送信しても良い（以下の説明においても同様）。
【００８４】
＜留守応答〜宅外携帯情報端末の応答まで＞
図８は、第１の実施形態におけるコードレス電話システムの留守応答時の宅外携帯情報端末の応答シーケンス図である。
【００８５】
呼出中（着信鳴動中）の状態の宅外の携帯電話機４０、即ち携帯電話機４０−２において、利用者がオフフックして呼出に応答するとコードレス電話親機１０に応答メッセージ「２００  ＯＫ」を送信する（ステップ４０１）。
【００８６】
応答メッセージ「２００  ＯＫ」を受信したコードレス電話親機１０は固定電話網に対して着信応答処理を行う（ステップ４０２）とともに、呼出停止中で留守番電話メッセージ聴取中の状態にある携帯電話機４０−１とコードレス電話子機３０に対して解放処理を行う（ステップ４０３）。
【００８７】
着信応答処理は、コードレス電話親機１０が固定電話網に向けて着信に対する応答を示す、例えば、Ｃｏｎｎｅｃｔメッセージを送信することにより行う。
【００８８】
解放処理は、コードレス電話親機１０が携帯電話機４０−１に向けて、例えば、ＢＹＥメッセージを送信（あるいは、コードレス電話親機１０からＣＡＮＣＥＬメッセージを送信した後、携帯電話機４０−１から応答メッセージ「２００  ＯＫ」を受信）することにより行う。同様にコードレス電話子機３０に向けて、例えば、Ｒｅｌメッセージを送信することにより行う。
【００８９】
以上により、携帯電話機４０−２は固定電話網との通話中状態となり、携帯電話機４０−１とコードレス電話子機３０は待機中状態に遷移する。さらに、コードレス電話親機１０自身も待機中状態に遷移する。
【００９０】
＜留守応答時の時間経過による対応＞
図９は、第１の実施形態におけるコードレス電話システムの留守応答時の対応を示す図である。
【００９１】
図９において、着信からＯＧＭ再生などの時間経過とともに携帯電話機４０−１などが対応可能な動作の一例を示す。
【００９２】
符号５０１に示すコードレス電話親機１０及びコードレス電話子機３０は、符号５０４に示すベル着信の期間は、ベル鳴動をデフォルトで４回繰り返す。この期間中に着信に対する応答が無ければ、ベル鳴動を停止し、符号５０５に示すＯＧＭ再生の期間に移る。
【００９３】
符号５０５に示すＯＧＭ再生の期間は、ＯＧＭ再生の音声をモニタし、コードレス電話親機１０又はコードレス電話子機３０においてオフフックによって着信に対する応答があれば着信可能である。この期間中に着信に対する応答が無ければ、符号５０６に示すＩＣＭ録音の期間に移る。
【００９４】
符号５０６に示すＩＣＭ録音の期間は、ＩＣＭ録音の音声をモニタし、コードレス電話親機１０又はコードレス電話子機３０においてオフフックによる応答があれば着信可能である。この期間中に着信に対する応答が無ければ、着信は切断される。
【００９５】
符号５０２に示す宅内の携帯電話機４０−１は、符号５０４に示すベル着信の期間は、ベル鳴動を所定時間（ここではコードレス電話親機１０及びコードレス電話子機３０がベル鳴動する期間に合わせる）繰り返す。この期間中に着信に対する応答が無ければ、ベル鳴動を停止し、符号５０５に示すＯＧＭ再生の期間に移る。
【００９６】
符号５０５に示すＯＧＭ再生の期間は、「留守電応答中」を表示し、携帯電話機４０−１においてオフフックによって着信に対する応答があれば着信可能である。この期間中に着信に対する応答が無ければ、符号５０６に示すＩＣＭ録音の期間に移る。
【００９７】
符号５０６に示すＩＣＭ録音の期間は、「留守電応答中」を表示し、携帯電話機４０−１においてオフフックによる応答があれば着信可能である。この期間中に着信に対する応答が無ければ、着信は切断される。
【００９８】
符号５０３に示す宅外の携帯電話機４０−２は、符号５０４に示すベル着信の期間は、ベル鳴動を所定時間（ここではコードレス電話親機１０及びコードレス電話子機３０がベル鳴動する期間）繰り返す。この期間中に着信に対する応答が無ければ、ベル鳴動を停止することなく、符号５０５に示すＯＧＭ再生の期間に移る。
【００９９】
符号５０５に示すＯＧＭ再生の期間は、ベル鳴動は継続し、携帯電話機４０−２においてオフフックによって着信に対する応答があれば着信可能である。この期間中に着信に対する応答が無ければ、符号５０６に示すＩＣＭ録音の期間に移る。
【０１００】
符号５０６に示すＩＣＭ録音の期間は、ベル鳴動は継続し、携帯電話機４０−２においてオフフックによる応答があれば着信可能である。この期間中に着信に対する応答が無ければ、着信は切断される。
【０１０１】
以上、説明したように、本実施形態のコードレス電話装置によれば、固定電話網からの着信に対して、コードレス電話装置の親機が留守電応答中であっても、宅外に持ち出した携帯情報端末（つまり、宅外スマホとして設定された携帯電話機４０−２）は留守電応答が終了するまでは着信鳴動を継続するため、利用者は応答機会を失うことなく着信に応答することができる。
【０１０２】
（第２の実施形態）
第２の実施形態では、第１の実施形態において説明したコードレス電話システムの留守応答時の動作の変形例について説明する。
【０１０３】
＜留守応答時の動作の変形例＞
図１０は、第２の実施形態におけるコードレス電話システムの留守応答シーケンス図である。以下、図１０のシーケンス図に従って、留守応答時の動作について説明する。なお、着信呼出に至るまでの動作については図５と同様であるため説明を省略し、留守応答時の動作を説明した図６と重複する部分については説明を簡略化する。
【０１０４】
呼出中の状態に遷移したコードレス電話親機１０は、所定の時間が経過してもコードレス電話子機３０、携帯電話機４０−１、携帯電話機４０−２及びコードレス電話親機１０自身での利用者による応答操作がなかった場合（ステップ６０１）、以下に示す留守番電話メッセージによる留守応答を行う。
【０１０５】
コードレス電話親機１０は、留守応答に先立ち、先ずコードレス電話親機１０自身の着信鳴動を停止するとともに、コードレス電話子機３０と携帯電話機４０−１に対して着信鳴動の停止処理を行う（ステップ６０２）。
【０１０６】
ここで、第２実施形態におけるコードレス電話システムにおいて第１に特徴的なことは、第１の実施形態で説明したものと同様に、留守応答を行う場合に、宅外の携帯電話機４０、即ち携帯電話機４０−２に対しては着信鳴動の停止処理は行っていないことである。
【０１０７】
コードレス電話親機１０は、次に、携帯電話機４０−１の他に携帯電話機４０−２及びコードレス電話子機３０に対して留守応答中を表示する処理を行う（ステップ６０３）。
【０１０８】
ここで、第２の実施形態におけるコードレス電話システムにおいて第２に特徴的なことは、留守応答を行う場合に、宅外の携帯電話機４０、即ち携帯電話機４０−２に対しては着信鳴動を継続させたままで、留守応答中である旨を携帯電話機４０−２上に表示することである。
【０１０９】
携帯電話機４０−２への留守応答中を表示する処理も、第１の実施形態で説明したものと同様に、例えばＳＩＰに準拠してＮＯＴＩＦＹメッセージに留守応答中表示を示す情報要素を含めて送信することにより行う。コードレス電話子機３０への留守応答中を表示する処理は、例えば内部メッセージ、あるいは、上記Ｑ．９３１仕様に準拠したＩｎｆｏメッセージ相当のメッセージに留守応答中表示を示す情報要素を含めて送信することにより行う。
【０１１０】
コードレス電話親機１０は、最後に、ＴＡＭ部１０２を制御して留守番電話メッセージの録音・再生動作を開始させるとともに、ＴＡＭ部１０２と、コードレス電話親機１０自身、固定電話網及びコードレス電話子機３０との間の音声パスを接続して留守番電話メッセージを聴取可能に制御する（ステップ６０４）。そして、コードレス電話親機１０は、呼出停止中で留守番電話メッセージ聴取中の状態に遷移する。
【０１１１】
図１１は、第２の実施形態におけるコードレス電話システムの親機の留守応答動作を示すフローチャートである。
【０１１２】
図１１では、図１０において説明したコードレス電話システムの留守応答動作の中でもコードレス電話親機１０の留守応答動作についてさらに詳しく説明する。なお、図７と重複する部分については説明を簡略化する。
【０１１３】
呼出中の状態に遷移したコードレス電話親機１０は、所定の時間が経過したか否かを判断する（ステップ７０１）。
【０１１４】
ステップ７０１において、所定の時間が経過していなければ所定の時間が経過するまで待つ（ステップ７０１：Ｎｏ）。所定の時間が経過していれば（ステップ７０１：Ｙｅｓ）、コードレス電話親機１０自身の着信鳴動を停止する（ステップ７０２）。
【０１１５】
コードレス電話親機１０は、次に記憶部１０３に記憶されている登録子機（つまり、子機として登録されている携帯電話機と、さらにその携帯電話機についての宅外／宅内の情報を含む）と登録子機の現在の状態を参照する（ステップ７０３）。
【０１１６】
ステップ７０３において、呼出中（着信鳴動中）の状態の宅外の携帯電話機があれば（ステップ７０３：Ｎｏ）、留守応答中である旨の表示をさせるためのメッセージを無線ＬＡＮ  Ｉ／Ｆ部１０９を介して送信し、その携帯電話機の状態は変えずに、即ち着信鳴動をさせたままで、留守応答中である旨の表示をさせる（ステップ７０４）。
【０１１７】
ステップ７０３において、呼出中（着信鳴動中）の状態の子機や宅内の携帯電話機があれば（ステップ７０３：Ｙｅｓ）、着信鳴動を停止するためのメッセージをコードレス電話子機無線Ｉ／Ｆ部１０７や無線ＬＡＮ  Ｉ／Ｆ部１０９を介して送信し、その子機や携帯電話機の着信鳴動を停止する（ステップ７０５）。
【０１１８】
そして、コードレス電話親機１０は、その子機や携帯電話機に留守応答中である旨の表示をさせるためのメッセージをコードレス電話子機無線Ｉ／Ｆ部１０７や無線ＬＡＮ  Ｉ／Ｆ部１０９を介して送信し、留守応答中である旨の表示をさせる処理を行う（ステップ７０６）。
【０１１９】
最後に、コードレス電話親機１０は、ＴＡＭ部１０２に留守番電話メッセージの録音・再生動作を開始させるとともに、ＴＡＭ部１０２とコードレス電話親機１０自身、ＴＡＭ部１０２とコードレス電話子機３０及びＴＡＭ部１０２と固定電話網との間の音声パスを接続する（ステップ７０７）。
【０１２０】
そして、コードレス電話親機１０自身は呼出停止中（留守番電話メッセージ聴取中）の状態に遷移する。
【０１２１】
このように、本実施形態のコードレス電話親機１０は、留守応答を行う場合に、コードレス電話子機３０や宅内の携帯電話機４０−１に対しては着信鳴動の停止処理を行うが、宅外の携帯電話機４０−２に対しては着信鳴動の停止処理は行わないのである。
【０１２２】
また、本実施形態のコードレス電話親機１０は、留守応答を行う場合に、宅外の携帯電話機４０−２に対しては着信鳴動を継続させたままで、留守応答中である旨を携帯電話機４０−２上に表示するのである。
【０１２３】
以降、留守応答時の宅外の携帯電話機４０−２の着信への応答動作については、図８の応答シーケンス図の説明と同様であるため説明を省略する。
【０１２４】
＜変形例における留守応答時の時間経過による対応＞
図１２は、第２の実施形態におけるコードレス電話システムの留守応答時の対応を示す図である。なお、留守応答時の対応を説明した図９と重複する部分については説明を簡略化する。
【０１２５】
図１２において、符号８０１に示すコードレス電話親機１０及びコードレス電話子機３０、符号８０２に示す宅内の携帯電話機４０−１、符号８０３に示す宅外の携帯電話機４０−２のそれぞれが、着信からＯＧＭ再生などの時間経過とともに対応可能な動作の一例を示す。
【０１２６】
符号８０１に示すコードレス電話親機１０及びコードレス電話子機３０は、符号８０４に示すベル着信の期間は、ベル鳴動を繰り返す。この期間中に着信に対する応答が無ければ、ベル鳴動を停止し、符号８０５に示すＯＧＭ再生の期間に移る。
【０１２７】
なお、図１２に明示していないが、符号８０４に示すベル着信の期間は、着信に対する応答が可能である（符号８０２に示す宅内の携帯電話機４０−１、符号８０３に示す宅外の携帯電話機４０−２の場合も同様に着信に対する応答が可能）。
【０１２８】
符号８０５に示すＯＧＭ再生の期間は、ＯＧＭ再生の音声をモニタし、コードレス電話親機１０又はコードレス電話子機３０においてオフフックによって着信に対する応答があれば着信可能である。この期間中に着信に対する応答が無ければ、符号８０６に示すＩＣＭ録音の期間に移る。
【０１２９】
符号８０６に示すＩＣＭ録音の期間は、ＩＣＭ録音の音声をモニタし、コードレス電話親機１０又はコードレス電話子機３０においてオフフックによる応答があれば着信可能である。この期間中に着信に対する応答が無ければ、着信は切断される。
【０１３０】
なお、ＯＧＭ再生及びＩＣＭ録音の期間は、無音中でも留守電応答中であることがわかるように「留守電応答中」を表示するようにしても構わない。表示はＬＥＤ（Ｌｉｇｈｔ  Ｅｍｉｔｔｉｎｇ  Ｄｉｏｄｅ）の点滅などによる単純なものでも構わない。
【０１３１】
符号８０２に示す宅内の携帯電話機４０−１は、符号８０４に示すベル着信の期間は、ベル鳴動を所定時間繰り返す。この期間中に着信に対する応答が無ければ、ベル鳴動を停止し、符号８０５に示すＯＧＭ再生の期間に移る。
【０１３２】
符号８０５に示すＯＧＭ再生の期間は、「留守電応答中」を表示し、携帯電話機４０−１においてオフフックによって着信に対する応答があれば着信可能である。この期間中に着信に対する応答が無ければ、符号８０６に示すＩＣＭ録音の期間に移る。
【０１３３】
符号８０６に示すＩＣＭ録音の期間は、「留守電応答中」を表示し、携帯電話機４０−１においてオフフックによる応答があれば着信可能である。この期間中に着信に対する応答が無ければ、着信は切断される。
【０１３４】
なお、ＯＧＭ再生及びＩＣＭ録音の期間は、「留守電応答中」を表示中でも留守電応答中であることがわかるようにコードレス電話親機１０から携帯電話機４０−１にＯＧＭ再生及びＩＣＭ録音の音声データを逐次送信して携帯電話機４０−１から出力するようにしても構わない。
【０１３５】
符号８０３に示す宅外の携帯電話機４０−２は、符号８０４に示すベル着信の期間は、ベル鳴動を所定時間繰り返す。この期間中に着信に対する応答が無ければ、ベル鳴動を停止することなく、符号８０５に示すＯＧＭ再生の期間に移る。
【０１３６】
符号８０５に示すＯＧＭ再生の期間は、「留守電応答中」を表示し、ベル鳴動は継続し、携帯電話機４０−２においてオフフックによって着信に対する応答があれば着信可能である。この期間中に着信に対する応答が無ければ、符号８０６に示すＩＣＭ録音の期間に移る。
【０１３７】
符号８０６に示すＩＣＭ録音の期間は、「留守電応答中」を表示し、ベル鳴動は継続し、携帯電話機４０−２においてオフフックによる応答があれば着信可能である。この期間中に着信に対する応答が無ければ、着信は切断される。
【０１３８】
なお、ＯＧＭ再生及びＩＣＭ録音の期間でも音声モニタが可能なように、設定により、１度目のオフフックで音声モニタを行い、２度目のオフフックにより応答するようにしても構わない。
【０１３９】
以上、説明したように、変形例のコードレス電話装置によれば、固定電話網からの着信に対して、コードレス電話装置の親機が留守電応答中であっても、宅外に持ち出した携帯情報端末は留守電応答が終了するまでは着信鳴動を継続するため、利用者は応答機会を失うことなく着信に応答することができる。
【０１４０】
また、着信鳴動中の宅外の携帯情報端末には、着信鳴動中であっても親機が留守応答中である旨の表示がされるため、利用者は親機が留守応答中であることを把握しつつ着信に応答することができる。
【０１４１】
（第３の実施形態）
第３の実施形態では、コードレス電話親機１０と転送先の携帯電話機４０（例えば携帯電話機４０−２）との間で送受信されるデータを暗号化することで、ＳＩＰに準拠したデータ通信（例えば電話通信、音声会議システム、テレビ会議システム）のように、リアルタイム性（つまり、即時性）が要求されるデータ通信においても、第三者によってデータが抜き取られる又は盗聴されるといった通信時の脆弱性の対策の例について説明する。
【０１４２】
通常、ＳＩＰを用いてセッションを確立する場合やそのセッションが確立された以降のデータ通信では、上述した電話通信、音声会議システム、テレビ会議システム等の音声通信のように、リアルタイム性（即時性）が要求されることが多い。このため、ＯＳＩ参照モデルのトランスポート層のプロトコルとして、即時性に適したＵＤＰが用いられ、データ伝送の信頼性が高いＴＣＰの使用は避けられることがある。
【０１４３】
以降の第３の実施形態では、コードレス電話親機１０が、発信者電話機からの着信があった場合、又は携帯電話機４０に転送するべきデータを転送する場合に、携帯電話機４０との間で共有している共通鍵を用いて着信又は転送するべきデータを暗号化して携帯電話機４０に転送することで、セキュリティの劣化を抑制する例を説明する。
【０１４４】
図１３は、第３の実施形態における共通鍵生成手順を示すシーケンス図である。第３の実施形態のコードレス電話システムは第１の実施形態とほぼ同一の構成を有する。第１の実施形態と同一の構成要素については同一の符号を用いることで、その説明を省略する。
【０１４５】
第３の実施形態のコードレス電話システムでは、コードレス電話親機１０（ＣＤＬ電話親機１０とも表記する場合がある）は、転送電話機の機能を有しており、インターネットに接続されたＳＩＰ（Session Initiation Protocol）サーバ６０（つまり、中継機）を介して、宅外スマホ４０−２や宅内スマホ４０−１を含む複数の携帯電話機４０と接続される。また、コードレス電話親機１０は、電話交換局を含む固定電話網（図１参照）を介して、個人宅や企業等の様々な固定電話機と接続される。
【０１４６】
ＳＩＰサーバ６０は、コードレス電話親機１０や携帯電話機４０（宅内スマホ４０−１、宅外スマホ４０−２）等の複数の電話機とＩＰアドレスとの対応関係を収集するとともに、これらの間で送受信されるＳＩＰに準拠したメッセージを中継する役目を果たす。なお、コードレス電話システムは、コードレス電話親機１０と転送先の携帯電話機４０との間にＳＩＰサーバ６０を介在させることなく、コードレス電話親機１０と転送先の携帯電話機４０とが直接にデータ通信を行ってもよい。
【０１４７】
図１３において、第３の実施形態のコードレス電話システムでは、コードレス電話親機１０は、携帯電話機４０を子機として子機情報に設定するための機器増設処理を行う（ステップ１１０１）。
【０１４８】
ここで、機器増設処理について詳述する。機器増設処理は、携帯電話機４０がコードレス電話親機１０の子機として、新規に子機登録される処理をいう。
【０１４９】
また、機器増設処理は、携帯電話機４０のコードレス電話親機１０に対する新規の子機登録に限定されず、携帯電話機４０の子機情報が変更される処理を指してもよい。子機情報は、上述したように、宅内スマホ４０−１として使用される設定がなされているのか、又は宅外スマホ４０−２として使用される設定がなされているのかを示す。つまり、携帯電話機４０は、コードレス電話親機１０の子機として、宅内で使用されることが想定された宅内スマホ４０−１、又は、宅外で使用されることが想定された宅外スマホ４０−２のいずれかとして、子機情報が設定されている。以下の説明では、例えば宅外スマホ４０−２が宅内に移動して宅内スマホ４０−１となるように子機情報が切り替わったことを契機として、子機情報が設定・変更されたことを、機器増設処理の一例として説明する。反対に、宅内スマホ４０−１から宅外スマホ４０−２となるように子機情報が切り替わったことを契機として、子機情報が設定・変更されたことを機器増設処理の一例としてもよい。さらに、あるタイミングから一定時間経過等の任意のタイミングで、宅内スマホ４０−１あるいは宅外スマホ４０−２の子機情報が設定・変更されたことを機器増設処理の一例としてもよい。
【０１５０】
また、前述したように、コードレス電話親機１０の親機制御部１１０は、記憶部１０３に携帯電話機４０の子機情報を記憶・管理している。この子機情報は、携帯電話機４０を宅内スマホ４０−１として使用するのか、宅外スマホ４０−２として使用するのかの設定情報を含む。検知部の一例としての親機制御部１１０は、携帯電話機４０と無線ＬＡＮで接続する際、アクセスポイント２０を介して接続するか、アクセスポイント２０の他に外部アクセスポイント（例えばＬＡＮ／ＷＡＮ又は携帯電話網等のインターネット、図１参照）を介して接続するかによって、宅内スマホ４０−１であるか、宅外スマホ４０−２であるか、さらには、携帯電話機４０とコードレス電話親機１０との間の接続状態が変化したかを検知可能である。
【０１５１】
第３の実施形態では、上述した子機情報の設定変更に伴い、コードレス電話親機１０と携帯電話機４０との間で通信されるデータの暗号化・復号の各処理に用いられる共通鍵を生成する場合を示す。第３の実施形態では、一例として、ＤＨ（Diffie-Hellman）法により鍵交換を行い、コードレス電話親機１０と携帯電話機４０との間で同一の共通鍵を共有する。ＤＨ法による鍵交換では、秘密鍵そのものではなく、乱数と秘密鍵から公開鍵を生成し、生成した公開鍵を送受信することで、通信内容が第三者に盗聴されても、直ちに秘密鍵を知られることはなく、鍵情報の交換が可能となる。
【０１５２】
まず、ステップ１１０１の機器増設では、コードレス電話親機１０は、子機として設定される携帯電話機４０を識別するための識別情報であるＵＩＤ（User Identifier）を発行する。
【０１５３】
コードレス電話親機１０は、鍵生成処理を開始する。この鍵生成処理では、コードレス電話親機１０は、秘密鍵Ｋ１ｓを不規則に生成する。また、コードレス電話親機１０は、事前に携帯電話機４０との間で乱数Ａ，Ｂを決めておく。事前に乱数Ａ，Ｂを決めておく理由は、送信者と受信者の通信に割り込んで、公開鍵を自分のものとすり替えて暗号の解読を試みようとする、中間者攻撃のリスクを軽減するためである。
【０１５４】
コードレス電話親機１０は、乱数Ａ，Ｂと秘密鍵Ｋ１ｓとから公開鍵Ｋ１ｐを生成する（ステップ１１０２）。コードレス電話親機１０は、生成した公開鍵Ｋ１ｐ及び発行したＵＩＤを携帯電話機４０に送信する（ステップ１１０３）。
【０１５５】
携帯電話機４０は、鍵生成処理を開始する。この鍵生成処理では、携帯電話機４０は、秘密鍵Ｋ２ｓを不規則に生成する（ステップ１１０４）。また、携帯電話機４０は、事前に決められた乱数Ａ，Ｂと秘密鍵Ｋ２ｓとから公開鍵Ｋ２ｐを生成する。さらに、携帯電話機４０は、乱数Ｂと公開鍵Ｋ1ｐと秘密鍵Ｋ２ｓとを用いて、共通鍵Ｋｃを生成する（ステップ１１０５）。
【０１５６】
携帯電話機４０は、コードレス電話親機１０から受信したＵＩＤを、生成した共通鍵Ｋｃで暗号化して認証データＤａを生成する（ステップ１１０６）。この暗号化方式には、周知のＡＥＳ（Advanced Encryption Standard）方式が一例として用いられる。なお、ＷＥＰ（Wired Equivalent Privacy）方式やＴＫＩＰ（Temporal Key Integrity Protocol）方式が用いられてもよい。
【０１５７】
携帯電話機４０は、認証データＤａ、ＵＩＤ及び公開鍵Ｋ２ｐをコードレス電話親機１０に送信する（ステップ１１０７）。なお、ＵＩＤは、コードレス電話親機１０が発行した識別情報であるので、必ずしも送信されなくてもよい。
【０１５８】
コードレス電話親機１０は、乱数Ｂと公開鍵Ｋ２ｐと秘密鍵Ｋ１ｓとを用いて、共通鍵Ｋｃを生成する（ステップ１１０８）。そして、コードレス電話親機１０は、受信した認証データＤａを共通鍵Ｋｃで復号してＵＩＤを得る（ステップ１１０９）。コードレス電話親機１０は、復号したＵＩＤと、ステップ１１０３で送信されたＵＩＤ（言い換えると、ステップ１１０１で発行したＵＩＤ）とが等しい場合、共通鍵Ｋｃの正当性を確認する。
【０１５９】
コードレス電話親機１０は、共通鍵Ｋｃの生成が成功したことを表す「２００  ＯＫ」のメッセージを携帯電話機４０に送信する（ステップ１１１０）。
【０１６０】
このような手順を行い、コードレス電話親機１０と携帯電話機４０は、同一の共通鍵Ｋｃを共有することができる。共通鍵Ｋｃが生成された後、コードレス電話親機１０と携帯電話機４０との間では、暗号化されたデータの通信が行われる。
【０１６１】
なお、上記手順では、共通鍵を生成するタイミングとして、コードレス電話親機１０が携帯電話機４０の子機情報を設定・変更する度に、毎回、共通鍵を生成する。共通鍵は、固定ではなく、頻繁に更新されることが望ましく、例えば宅外スマホ４０−２が宅内スマホ４０−１に切り替わる時や宅内スマホ４０−１が宅外スマホ４０−２に切り替わる時以外でも、共通鍵を生成してから一定時間が経過した時等に更新されてもよい。
【０１６２】
図１４は、第３の実施形態におけるコードレス電話親機１０が共通鍵Ｋｃでデータを暗号化し、暗号化されたデータを携帯電話機４０に送信する動作を説明する図である。コードレス電話親機１０が、発信者電話機からの着信を携帯電話機４０に転送する場合、暗号化されるデータは、セッションを確立するための、ＳＩＰに準拠したメッセージやリクエスト（例えば、ＩＮＶＩＴＥメッセージ、ＮＯＴＩＦＹメッセージ、Ｃａｎｃｅｌメッセージ、１８０Ｒｉｎｇｉｎｇ）等である。携帯電話機４０は、コードレス電話親機１０から暗号化された着信を受信すると、図１３を参照して説明した方法によってコードレス電話親機１０との間で共有している共通鍵を用いて着信を復号し、着信鳴動する。
【０１６３】
また、セッション確立後も、コードレス電話親機１０が発信者電話機としての固定電話機８０と携帯電話機４０との間で音声データやファクシミリデータ等を中継する場合、中継される通話相手の発話時の声の音声データやファクシミリデータを暗号化する。また、コードレス電話親機１０が携帯電話機４０と直接に通話やファクシミリ通信を行う場合も、ユーザの発話時の声の音声データやファクシミリデータを暗号化する。
【０１６４】
図１４では、コードレス電話親機１０が携帯電話機４０にデータｄｍを送信する場合、コードレス電話親機１０は、データｄｍを共通鍵Ｋｃで暗号化し、暗号化されたデータ（暗号データ）Ｋｃ（ｄｍ）を生成して携帯電話機４０に送信する。ここで、コードレス電話親機１０から送信されるデータｄｍは、前述したように、ＳＩＰに準拠したメッセージやリクエスト等のデータ、セッション確立後の音声データ等のアプリケーションデータでかつ平文状態（未暗号状態）のデータである。一方、携帯電話機４０は、コードレス電話親機１０からの暗号化されたデータＫｃ（ｄｍ）を、共通鍵Ｋｃで復号し、平文データであるデータｄｍを得る。
【０１６５】
図１５は、第３の実施形態における携帯電話機４０が共通鍵Ｋｃでデータを暗号化し、暗号化されたデータをコードレス電話親機１０に送信する動作を説明する図である。ここで、携帯電話機４０から送信されるデータｄｎは、前述したように、ＳＩＰに準拠したメッセージやリクエスト等のデータ、セッション確立後の音声データ等のアプリケーションデータでかつ平文状態（未暗号状態）のデータである。図１４とは逆の動作で、携帯電話機４０は、データｄｎを共通鍵Ｋｃで暗号化し、暗号化されたデータ（暗号データ）Ｋｃ（ｄｎ）をコードレス電話親機１０に送信する。また、コードレス電話親機１０は、携帯電話機４０からの暗号化されたデータＫｃ（ｄｎ）を、共通鍵Ｋｃで復号し、平文データであるデータｄｎを得る。
【０１６６】
なお、コードレス電話親機１０と携帯電話機４０との間で暗号化されたデータを通信する場合、通信されるデータとして、ＳＩＰに準拠したデータやセッション確立後の音声データの他、ファクシミリデータや電話帳データ等が挙げられる。例えばコードレス電話親機１０は、図１に示す固定電話網を介して受信したファクシミリデータを携帯電話機４０に転送することができる。また、ユーザが、コードレス電話親機１０に登録されている電話帳データを携帯電話機４０で使用したい場合、ユーザの操作により、コードレス電話親機１０は、記憶部１０３に記憶している電話帳データを共通鍵で暗号化してから携帯電話機４０に送信することもできる。この場合でも、携帯電話機４０は、同様に共通鍵で復号して電話帳データを得ることができるので、コードレス電話親機１０と同一の電話帳データを使用することができ、ユーザの使い勝手が向上する。
【０１６７】
このように、第３の実施形態のコードレス電話システムでは、固定電話網７０に接続されたコードレス電話親機１０の親機制御部１１０（検知部）は、子機としての携帯電話機４０の接続状態の変化（状態変化）、例えば宅外スマホ４０−２から宅内スマホ４０−１に切り替わったことを検知する。親機制御部１１０（共通鍵生成部）は、携帯電話機４０の接続状態に変化が検知された場合に、携帯電話機４０との間で共有される共通鍵Ｋｃを生成する。親機制御部１１０（制御部）は、共通鍵Ｋｃを用いて、携帯電話機４０との間で送受信されるデータを暗号化して生成する。無線ＬＡＮＩ／Ｆ部１０９（無線通信部）は、親機制御部１１０により生成された暗号化データを携帯電話機４０に送信する。
【０１６８】
これにより、コードレス電話親機１０は、リアルタイム性（即時性）が要求され、かつ子機としての携帯電話機との間で行われる通信においても、携帯電話機４０との間で双方向にやり取りされるデータのセキュリティの劣化を抑制することができ、ユーザの使い勝手を向上できる。また、コードレス電話親機１０は、例えば公開鍵暗号方式のように処理負荷がかかる暗号方式を使用せず、携帯電話機４０との間で共有の共通鍵を用いて暗号化することで、データ通信に求められるリアルタイム性の低下を抑制でき、ユーザに暗号化や復号の処理負荷を感じさせない程度で通信可能となる。
【０１６９】
また、親機制御部１１０は、固定電話網を介した発信者電話機からの着信があった場合に、共通鍵Ｋｃを用いて着信を暗号化して、無線ＬＡＮ  Ｉ／Ｆ部１０９を介して携帯電話機４０に転送させ、携帯電話機４０を着信鳴動させる。これにより、コードレス電話親機１０は、発信者電話機としての固定電話機８０からの着信転送を秘匿化でき、通信の安全性が高まる。
【０１７０】
また、ＮＣＵ及びモデム部１０１は、固定電話網を介して発信者電話機としての固定電話機８０から送信されたファクシミリデータを受信する。また、無線ＬＡＮ  Ｉ／Ｆ部１０９は、発信者電話機としての固定電話機８０から送信されたファクシミリデータを受信してもよい。コードレス電話親機１０の親機制御部１１０は、受信されたファクシミリデータを共通鍵Ｋｃによって暗号化した上で、無線ＬＡＮ  Ｉ／Ｆ部１０９により携帯電話機４０に転送させてもよい。これにより、コードレス電話親機１０は、受信したファクシミリデータを携帯電話機４０に転送する場合も、安全にデータ通信を行うことができる。
【０１７１】
また、コードレス電話親機１０の親機制御部１１０は、記憶部１０３に記憶されている電話帳データを共通鍵Ｋｃで暗号化した上で、無線ＬＡＮ  Ｉ／Ｆ部１０９により携帯電話機４０に転送させてもよい。これにより、コードレス電話親機１０は、ユーザがコードレス電話親機１０に登録された電話帳データを携帯電話機４０で利用したい場合でも、安全にデータ通信を行うことができる。
【０１７２】
また、コードレス電話親機１０の親機制御部１１０は、ユーザの発話時の声の音声データを共通鍵Ｋｃで暗号化した上で、無線ＬＡＮ  Ｉ／Ｆ部１０９により携帯電話機４０に転送させてもよい。これにより、コードレス電話親機１０は、コードレス電話親機１０と携帯電話機４０との間で通話を行う場合も、盗聴等によって通話内容が知られることなく、セキュリティを高めることができる。
【０１７３】
また、コードレス電話親機１０の親機制御部１１０は、コードレス電話親機１０自身に対する状態変化として、新たな携帯電話機４０のコードレス電話親機１０に対する子機登録を検知する。これにより、コードレス電話親機１０は、新たに子機として使用されることになった携帯電話機４０との間でやり取りされるデータの通信時における秘匿性を高めることができる。
【０１７４】
また、コードレス電話親機１０の親機制御部１１０は、コードレス電話親機１０自身に対する状態変化として、携帯電話機４０の屋外モード（つまり、宅外使用）の設定状態から屋内モード（つまり、宅内使用）の設定状態への変更を検知する。これにより、コードレス電話親機１０は、例えば携帯電話機４０−２（つまり、宅外スマホ４０−２）を所持していたユーザが自宅に帰宅したことを契機に、共通鍵を新たに生成して更新することで、共通鍵の固定を防ぎ、宅内スマホとしての携帯電話機４０−１との間でやり取りされるデータの通信時における秘匿性を高めることができる。
【０１７５】
また、コードレス電話親機１０の親機制御部１１０は、コードレス電話親機１０自身に対する状態変化として、携帯電話機４０の屋内モード（つまり、宅内使用）の設定状態から屋外モード（つまり、宅外使用）の設定状態への変更を検知する。これにより、コードレス電話親機１０は、例えば携帯電話機４０−１（つまり、宅内スマホ４０−１）を所持していたユーザが自宅から外出したことを契機に、共通鍵を新たに生成して更新することで、共通鍵の固定を防ぎ、宅外スマホとしての携帯電話機４０−２との間でやり取りされるデータの通信時における秘匿性を高めることができる。
【０１７６】
（第３の実施形態の変形例）
第３の実施形態の変形例（以下、変形例という）では、カメラｃａを有する玄関子機３０Ａがコードレス電話親機１０の子機として登録されている場合を例示して説明する。玄関子機３０Ａは、図３に示すコードレス電話子機３０の構成に、カメラｃａを更に付加した構成である。玄関子機３０Ａは、コードレス電話親機１０が配置された屋内（例えば宅内、事業所内）の玄関のドアに引っ掛けるようにして設けられている（図１６参照）。コードレス電話親機１０は、玄関子機３０Ａで撮像された映像データを受信し、ＬＣＤ部１０６に表示するとともに、携帯電話機４０にその映像データを転送する場合も、上記手順と同様、共通鍵で暗号化されたデータを転送することで、セキュリティが向上する。
【０１７７】
図１６は、第３の実施形態における屋内（例えば宅内）の玄関ｇｔに設置された玄関子機３０Ａのカメラｃａが撮像した映像データを屋内に設置されたコードレス電話親機１０に転送し、さらにコードレス電話親機１０が携帯電話機４０に転送する様子を示す図である。カメラｃａは、例えば廊下の一定の画角範囲を撮像し、画角内の状況を映像データとして取得する。玄関子機３０Ａとコードレス電話親機１０とは有線で接続されてもよいし、無線（例えばＤＥＣＴ）で接続されてもよい。来訪者ｈｍ１が、玄関ドアの外側に取り付けられたチャイムｃｂｎを押下すると、屋内に設置されたスピーカｓｐｋからチャイム音が鳴動する。
【０１７８】
コードレス電話親機１０は、例えばスピーカｓｐｋからのチャイム音を検知すると、玄関子機３０Ａとの間で予め共有した共通鍵を用いて、セッションを確立し、さらにカメラｃａの作動制御信号を送信してカメラｃａを作動させる。玄関子機３０Ａは、玄関ｇｔの外側をカメラｃａにより撮像し、コードレス電話親機１０との間で共有した共通鍵Ｋｃを用いて映像データｍｚを暗号化してコードレス電話親機１０に送る。コードレス電話親機１０は、暗号化された映像データＫｃ（ｍｚ）を受信すると、共通鍵Ｋｃで復号して平文状態の映像データｍｚを取得する。
【０１７９】
コードレス電話親機１０は、映像データｍｚを携帯電話機４０に転送する際、映像データｍｚを共通鍵Ｋｃで暗号化し、暗号化された映像データＫｃ（ｍｚ）として、携帯電話機４０に転送する。携帯電話機４０は、暗号化された映像データＫｃ（ｍｚ）を、共通鍵Ｋｃで復号し、復号した映像データｍｚをＬＣＤ部１４６に表示する。これにより、屋内のユーザｈｍ２は、携帯電話機４０のＬＣＤ部１４６において、カメラｃａで撮像された画像を見ることができる。なお、図１６ではユーザｈｍ２は屋内にいるとして説明しているが、ユーザｈｍ２が屋外にいる場合でも、同様に、携帯電話機４０のＬＣＤ部１４６において、カメラｃａで撮像された画像を見ることができる。
【０１８０】
このように、変形例では、暗号化されるデータは、コードレス電話親機１０が配置された室内（屋内）の玄関ｇｔに設けられた玄関子機３０Ａのカメラｃａで撮像された映像データである。言い換えると、コードレス電話子機無線Ｉ／Ｆ部１０７は、玄関子機３０Ａの撮像により得られた映像データが送信されると、その映像データを受信する。コードレス電話親機１０の親機制御部１１０は、コードレス電話子機無線Ｉ／Ｆ部１０７が受信した映像データを、共通鍵Ｋｃで暗号化した上で、無線ＬＡＮ  Ｉ／Ｆ部１０９により携帯電話機４０に転送させてもよい。これにより、コードレス電話親機１０は、玄関子機３０Ａとの間や携帯電話機４０との間で転送される映像データの秘匿性を向上でき、使い勝手を向上できる。
【０１８１】
なお変形例では、玄関子機３０Ａとコードレス電話親機１０との間の通信では、共通鍵Ｋｃにより暗号化されるとして説明したが、玄関子機３０Ａとコードレス電話親機１０との間の通信では、共通鍵Ｋｃを用いた暗号化の処理は省略されてもよい。これにより、スピーカｓｐｋからチャイム音が鳴動した後、コードレス電話親機１０は、チャイム音の鳴動を検知した後、玄関子機３０Ａとコードレス電話親機１０との間の通信に共通鍵を用いて暗号化処理を行う場合に比べて、迅速にカメラｃａの作動を開始でき、使い勝手が向上できる。
【０１８２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１８３】
例えば、上記実施形態では、データ伝送のリアルタイム性を重視して、暗号化処理に要する時間が比較的短い、共通鍵暗号方式により暗号化処理を行ったが、リアルタイム性が追求されない場合、データ伝送の信頼性が高い公開鍵暗号方式により暗号化処理を行ってもよい。
【０１８４】
また、第３の実施形態では、コードレス電話親機１０と携帯電話機４０との間に中継機であるＳＩＰサーバ６０を介在させてコードレス電話システムが構成され、接続される電話機の数が多い場合やセッション確立後に中継する場合等に有効であった。しかし、ＳＩＰサーバ６０を介在させずにコードレス電話親機と携帯電話機とを直接に接続することで、コードレス電話システムが簡易に構成されてもよい。
【産業上の利用可能性】
【０１８５】
本発明は、リアルタイム性が要求され、かつ子機としての携帯電話機との間で行われる通信において、双方向にやり取りされるデータのセキュリティの劣化を抑制し、ユーザの使い勝手を向上できる電話装置（例えばコードレス電話親機）及び通信方法等として有用である。
【符号の説明】
【０１８６】
１０  コードレス電話親機（ＣＤＬ電話親機）
２０  アクセスポイント
３０  コードレス電話子機
４０  携帯電話機
４０−１  携帯電話機（宅内スマホ）
４０−２  携帯電話機（宅外スマホ）
６０  ＳＩＰサーバ
７０  固定電話網
８０  固定電話機
１０１  ＮＣＵ及びモデム部
１０２  ＴＡＭ部
１０３、１３１、１４３  記憶部
１０４、１３２、１４４  音声入出力部
１０５、１３３、１４５  操作部
１０６、１３４、１４６  ＬＣＤ部
１０７  コードレス電話子機無線Ｉ／Ｆ部
１０８  コードレス電話子機制御部
１０９、１４７  無線ＬＡＮ  Ｉ／Ｆ部
１１０  親機制御部
ｃａ  カメラ
ｃｂｎ  チャイム
Ｄａ  認証データ
ｄｍ，ｄｎ  データ
ｇｔ  玄関
ｈｍ１  来訪者
ｈｍ２  ユーザ
Ｋｃ  共通鍵
Ｋ１ｓ，Ｋ２ｓ  秘密鍵
Ｋ１ｐ，Ｋ２ｐ  公開鍵
ｓｐｋ  スピーカ
【図１】
2017152935.tif 000003
【図２】
2017152935.tif 000004
【図３】
2017152935.tif 000005
【図４】
2017152935.tif 000006
【図５】
2017152935.tif 000007
【図６】
2017152935.tif 000008
【図７】
2017152935.tif 000009
【図８】
2017152935.tif 000010
【図９】
2017152935.tif 000011
【図１０】
2017152935.tif 000012
【図１１】
2017152935.tif 000013
【図１２】
2017152935.tif 000014
【図１３】
2017152935.tif 000015
【図１４】
2017152935.tif 000016
【図１５】
2017152935.tif 000017
【図１６】
2017152935.tif 000018